(57)【要約】      （修正有）【課題】シート格納部に対してシートの属性情報を設定する際の手間を抑制することのできる情報処理システムを提供する。【解決手段】携帯端末は、発信機からシート情報を受信すると、シート情報を記憶する。携帯端末は、記憶したシート情報をＭＦＰに送信する。ＭＦＰは、携帯端末から受信したシート情報に基づいて、シート格納部に対してシートの属性情報を設定する。【選択図】図６
2016192739.tif 000002
【特許請求の範囲】
【請求項１】
シート処理装置、携帯端末及びシート情報を発信する発信機を含む情報処理システムであって、
前記携帯端末は、
近距離無線通信を行う通信手段と、
前記通信手段により受信した前記シート情報を記憶する記憶手段と、
前記シート情報を前記シート処理装置に送信する送信手段と、
を有し、
前記シート処理装置は、
シートを格納するシート格納部と、
前記携帯端末から受信したシート情報に基づいて、前記シート格納部に対してシートの属性情報を設定する設定手段と、
を備えることを特徴とする情報処理システム。
【請求項２】
前記記憶手段は、前記通信手段により前記シート情報を受信した場合であっても、当該シート情報が含まれる信号の信号強度が所定強度以上でない場合は、前記シート情報を記憶しないことを特徴とする請求項１に記載の情報処理システム。
【請求項３】
前記シート処理装置は、シート格納部の開閉を検知する検知手段を更に備え、
前記設定手段は、シート格納部が閉じられたことが検知されると、当該閉じられたシート格納部に対してシートの属性情報を設定することを特徴とする請求項１又は２に記載の情報処理システム。
【請求項４】
前記記憶手段は、前記通信手段により前記発信機が一定周期毎に発信するアドバタイズパケットを受信した場合に、前記アドバタイズパケットに含まれるシート情報を記憶することを特徴とする請求項１乃至３のいずれか１項に記載の情報処理システム。
【請求項５】
前記発信機が発信する前記シート情報はシートＩＤであることを特徴とする請求項１乃至４のいずれか１項に記載の情報処理システム。
【請求項６】
前記設定手段は、前記受信したシート情報に基づいて属性情報の候補を表示し、前記候補を選択するオペレータの操作に応じて前記シート格納部に対する属性情報の設定を行うことを特徴とする請求項１乃至５のいずれか１項に記載の情報処理システム。
【請求項７】
前記設定手段は、シートに関する設定の候補としてシートの種類、商品名、サイズの少なくとも１つを含むシート情報を表示することを特徴とする請求項６に記載の情報処理システム。
【請求項８】
シート処理装置及びシート情報を発信する発信機と通信する携帯端末であって、
近距離無線通信を行う通信手段と、
前記通信手段により受信した前記シート情報を記憶する記憶手段と、
前記記憶手段により記憶した前記シート情報を前記シート処理装置に送信する送信手段と、
を備えることを特徴とする携帯端末。
【請求項９】
シート処理装置、携帯端末及びシート情報を発信する発信機を含む情報処理システムの制御方法であって、
近距離無線通信を行う通信手段を備える前記携帯端末が、
前記通信手段により受信した前記シート情報を記憶する記憶工程と、
前記シート情報を前記シート処理装置に送信する送信工程と、
を有し、
シートを格納するシート格納部を備える前記シート処理装置が、
前記携帯端末から受信したシート情報に基づいて、前記シート格納部に対してシートの属性情報を設定する設定工程を有することを特徴とする情報処理システムの制御方法。
【請求項１０】
請求項１乃至７のいずれか１項に記載のシステムの各手段としてコンピュータを機能させるためのプログラム。
【請求項１１】
請求項８に記載の携帯端末の各手段としてコンピュータを機能させるためのプログラム。
【発明の詳細な説明】
【技術分野】
【０００１】
本発明は、情報処理システム、情報処理システムの制御方法、携帯端末、及びプログラムに関する。特に、シート処理装置と近距離無線通信機能を持つ携帯端末を連携させることによって、シート処理装置の設定を支援する技術に関する。
【背景技術】
【０００２】
従来、シート格納部を備え、様々なサイズのシートに対してコピーやデジタル印刷などを行うことができるシート処理装置が知られている。また、複数のシート格納部を備えるシート処理装置も知られている。このようなシート処理装置において、シートの属性情報（例えば、シートの種類やシートの色など）をシート格納部に対応付けて設定することが知られている（例えば、特許文献１）。また、属性情報を設定する手間を軽減する方法として、属性情報の設定履歴を設定の候補として表示することが知られている。
【先行技術文献】
【特許文献】
【０００３】
【特許文献１】特開平８−７２２８６号公報
【発明の概要】
【発明が解決しようとする課題】
【０００４】
このようなシート処理装置を用いて多品種小ロットの印刷物の製作を行う場合、印刷ジョブ毎に使用するシートが異なる場合がある。この場合、シート処理装置のオペレータは、シート格納部に格納するシートを頻繁に入れ替えて使用することとなる。
【０００５】
オペレータは、シートを入れ替える作業の一工程としてシート置き場などに保管されているシート束を取りに行き、印刷に必要なシート束をカート等に積み込む。積み込みが完了すると、オペレータはカート等に積み込んだシート束をＭＦＰ１０１が設置された場所まで運搬し、ＭＦＰ１０１に印刷に使用するシートを格納する。
【０００６】
このとき、オペレータは、新たに格納するシートの属性情報をシート格納部に対応付けて設定する必要があり、手間がかかってしまうという課題がある。また、設定履歴を設定の候補として表示するようにしたとしても、印刷物の製作に使用するシートの種類が多い場合には、オペレータは多くの候補の中からシート格納部に新たに格納するシートにあった属性情報を設定することとなり、手間がかかっていた。
【０００７】
本発明は、上記の問題点に鑑みなされたものであり、シート格納部に対してシートの属性情報を設定する際の手間を軽減することを目的とする。
【課題を解決するための手段】
【０００８】
上記の目的を達成するために本発明の情報処理システムは、シート処理装置、携帯端末及びシート情報を発信する発信機を含む情報処理システムであって、前記携帯端末は、近距離無線通信を行う通信手段と、前記通信手段により受信した前記シート情報を記憶する記憶手段と、前記シート情報を前記シート処理装置に送信する送信手段と、を有し、前記シート処理装置は、シートを格納するシート格納部と、前記携帯端末から受信したシート情報に基づいて、前記シート格納部に対してシートの属性情報を設定する設定手段と、を備えることを特徴とする。
【発明の効果】
【０００９】
本発明によれば、シート格納部に対してシートの属性情報を設定する際の手間を軽減することができる。
【図面の簡単な説明】
【００１０】
【図１】情報処理システムの全体図である。
【図２】ＭＦＰ１０１の構成を示すブロック図である。
【図３】携帯端末１０２の構成を示すブロック図である。
【図４】シート束と発信機の関係を示す図である。
【図５】シート情報の送受信を説明するフローチャートである。
【図６】受信したシート情報に基づく属性情報の設定を説明するフローチャートである。
【図７】操作部１１６に表示する操作画面を示す図である。
【図８】操作部１１６に表示する操作画面を示す図である。
【発明を実施するための形態】
【００１１】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１２】
＜第１の実施形態＞
まず、本発明の第１の実施形態について説明する。図１は、本実施形態に係る情報処理システムを示すブロック図である。ＬＡＮ１００上には、ＭＦＰ（Ｍｕｌｔｉｆｕｎｃｔｉｏｎ  Ｐｅｒｉｐｈｅｒａｌ）１０１、ＡＰ（アクセスポイント）１０３が互いに通信可能に接続されている。本実施形態ではシート処理装置の一例としてＭＦＰ１０１を説明する。また、携帯端末１０２は、ＡＰ１０３を介してネットワーク（ＬＡＮ１００）上のＭＦＰ１０１と通信を行うことができる。発信機１０４は、情報を発信する端末であり、携帯端末１０２に対して情報を通知することができる。
【００１３】
本実施形態では、ＭＦＰ１０１、携帯端末１０２、及び、発信機１０４を少なくとも含む構成のシステムを情報処理システムとする。
【００１４】
まず、ＭＦＰ１０１について説明する。ＭＦＰ１０１はシート上の画像を読み取る読取機能、シートに画像を印刷する印刷機能を有する。また、ＭＦＰ１０１は、ネットワークを介して携帯端末１０２やＰＣ（不図示）などの外部装置と通信を行うことができる。
【００１５】
ＭＦＰ１０１は、ネットワークを介して受信した印刷データに基づいて印刷処理を実行することができる。また、ＭＦＰ１０１は、携帯端末１０２などの外部装置と近距離無線通信を行うこともできる。
【００１６】
図２は、本実施形態に係るＭＦＰ１０１の構成を示すブロック図である。本実施形態のＭＦＰ１０１は複合機を想定しているが、スキャナ機能を備えないプリンタであってもよい。また、ＭＦＰ１０１にはオプション装置を接続することができる。例えば、ＭＦＰ１０１は、シートデッキ等の給紙に関するオプション装置や、パンチャー、フィニッシャー等の後処理に関するオプション装置を接続することができる。
【００１７】
ＣＰＵ１１１を含む制御部１１０は、ＭＦＰ１０１全体の動作を制御する。また、ＣＰＵ１１１はＭＦＰ１０１に接続されているオプション装置の制御部（不図示）と協働して、オプション装置を制御することができる。ＣＰＵ１１１は、ＲＯＭ１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。また、ＲＯＭ１１２は、ブートシーケンスやフォント情報などを記憶する。ＲＡＭ１１３は、ＣＰＵ１１１の主記憶メモリであり、ワークエリア、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４としてフラッシュメモリを想定しているが、ＳＳＤやＨＤＤなどの補助記憶装置を用いるようにしても良い。
【００１８】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００１９】
操作部Ｉ／Ｆ１１５は、操作部１１６と制御部１１０を接続する。操作部１１６は、オペレータ（ＭＦＰ１０１のユーザ）に対して情報を表示したり、オペレータからの指示を受け付けたりする。なお、本実施形態における「オペレータ」は、ＭＦＰ１０１を使用したデータ出力業務を行うユーザのことを示している。
【００２０】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは、外部装置に送信されたり、シート上に印刷されたりする。
【００２１】
印刷部Ｉ／Ｆ１１９は、印刷部１２０と制御部１１０を接続する。ＣＰＵ１１１は、印刷すべき画像データ（印刷対象の画像データ）を印刷部Ｉ／Ｆ１１９を介して印刷部１２０に転送する。印刷部１２０は、シート格納部１２５から給送されたシート上に画像を印刷する。
【００２２】
シート格納部１２５は複数備えられており、ＣＰＵ１１１は、印刷で使用すべきシートが格納されたシート格納部からシートを給送するよう制御する。なお、シート格納部には、シートカセットや大容量給紙デッキなどが含まれる。
【００２３】
また、シート格納部１２５は、開閉センサ（不図示）やサイズ検知機構（不図示）を備えている。開閉センサは、シート格納部１２５が引き出された状態を開状態として検知し、シート格納部１２５がＭＦＰ１０１に格納されている（押し込まれている）状態を閉状態として検知する。またサイズ検知機構は、シート格納部に格納されるシートのサイズを検知する。
【００２４】
また、制御部１１０は、通信部Ｉ／Ｆ１２３を介してネットワーク（ＬＡＮ１００）に接続される。通信部Ｉ／Ｆ１２３は、ネットワーク上の外部装置に画像データや情報を送信したり、ネットワーク上の情報処理装置から印刷データや情報を受信したりする。
【００２５】
また、ＣＰＵ１１１は、近距離無線通信部１２４を制御して、外部端末と近距離無線通信を行うことができる。近距離無線通信部１２４は、近距離無線通信としてＢＬＥ（Ｂｌｕｅｔｏｏｔｈ（登録商標）  Ｌｏｗ  Ｅｎｅｒｇｙ）規格に基づく通信が行えるものとする。
【００２６】
近距離無線通信部１２４は、外部装置とペアリングして、情報の送受信を行うことができる。また、アドバタイズパケットを発信して外部装置に対して情報のブロードキャストを行うこともできる。
【００２７】
ここで、ＭＦＰを用いて多品種小ロットの印刷物の製作を行う場合の処理について考える。多品種小ロットの印刷物の製作を行う場合、製作する印刷物により使用するシートの大きさや、シートの種類がまちまちであるため、使用するシートを入れ替えなければならない場合が多い。この場合、オペレータはシート格納部に格納するシートを頻繁に入れ替える必要がある。また、オペレータは新たに格納するシートに対する属性情報を一覧の中から設定する必要があり、手間がかかっていた。
【００２８】
ところで、オペレータは、ＭＦＰ１０１に格納されるシートを入れ替える作業を行う場合、シート置き場などに保管されているシート束を取りに行く。オペレータは、シート置き場で印刷に必要なシート束をカート等に積み込む。オペレータは、カート等に積み込んだシート束をＭＦＰ１０１が設置された場所まで運搬し、ＭＦＰ１０１のシート格納部に格納されるシートを入れ替える。
【００２９】
本実施形態では、オペレータがシートを入れ替える一連の作業を行う際に、オペレータが所持する携帯端末１０２と、シート情報を発信する発信機１０４と、ＭＦＰ１０１とが連携し、ＭＦＰ１０１に対する属性情報の設定を支援するシステムについて説明する。
【００３０】
まず、オペレータが所持する携帯端末１０２について説明する。図３は、本実施形態に係る携帯端末１０２の構成を示すブロック図である。ＣＰＵ２１１を含む制御部２１０は、携帯端末１０２全体の動作を制御する。ＲＯＭ２１２及びストレージ２１４は、ＣＰＵ２１１が実行可能な制御プログラムや、アプリケーションプログラムを格納する。ＲＡＭ２１３は、ＣＰＵ２１１の主記憶メモリであり、ワークエリア、ＲＯＭ２１２及びストレージ２１４に格納された各種制御プログラムを展開するための一時記憶領域として用いられる。なお、本実施形態の携帯端末１０２では、１つのＣＰＵ２１１が１つのメモリ（ＲＡＭ２１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００３１】
また、携帯端末１０２は、無線通信部２２３がＡＰ１０３にアクセスすることにより、ネットワーク（ＬＡＮ１００）上の外部装置と通信を行うことができる。なお、ＡＰ１０３との無線接続に必要なＳＳＩＤやセキュリティキーなどの情報は、予めオペレータや管理者により設定されているものとする。
【００３２】
また、ＣＰＵ２１１は、近距離無線通信部２２４を制御して、外部端末と近距離無線通信を行うことができる。近距離無線通信部２２４は、近距離無線通信としてＢＬＥ規格に基づく通信が行えるものとする。近距離無線通信部２２４は、外部装置とペアリングして、情報の送受信を行うことができる。また、アドバタイズパケットを発信して外部装置に対して情報のブロードキャストを行うこともできる。
【００３３】
携帯端末１０２には、ＭＦＰ１０１及び発信機１０４とシートに関する情報をやりとりするためのソフトウェア（以下、支援ソフトウェアとも呼ぶ）がインストールされている。以降、オペレータは、支援ソフトウェアが起動した携帯端末１０２を所持して、シートの交換作業を行うものとする。
【００３４】
図４は、シート束と発信機１０４の関係を説明する図である。シート置き場４００には、ＭＦＰ１０１で使用するシートが保管されている。シート束４０１乃至４０３は、印刷に使用するシートの一部を例示している。また、各シート束の近辺には、発信機１０４が置かれている。発信機１０４は、例えばシート束に関する情報が記載されたラベルなどに取り付けてもよいし、シート束を保管する棚等に設置されていてもよい。
【００３５】
各発信機１０４は、ＢＬＥ規格に基づくアドバタイズパケットを発信して外部装置に対して情報のブロードキャストを行うことができる。例えば、各発信機１０４は、一定周期毎（例えば５００ｍｓ毎）に対応するシート束のシート情報を発信する。従って、発信機１０４ａは、シート束４０１のシート情報を発信し、発信機１０４ｂは、シート束４０２のシート情報を発信することとなる。また、発信機１０４ｃは、シート束４０３のシート情報を発信する。
【００３６】
なお、発信機１０４が発信するシート情報は、管理者などにより予め書き込まれているものとする。また、発信機１０４が発信するシート情報は、ＭＦＰ１０１がシート束４０１に対応する属性情報を特定するためのＩＤ（以降、シートＩＤと呼ぶ）であるものとするが、これに限定されるものではない。例えば、シートＩＤに加えて、シートの名前、サイズ、表面性、坪量、色などの情報を発信するようにしてもよい。
【００３７】
ここで、シート置き場４００に移動したオペレータは、印刷に必要なシート束をカート等に積み込む。この際にオペレータは印刷に必要なシート束及び当該シート束に対応する発信機１０４に近づくこととなる。この際に、オペレータが所持している携帯端末１０２のＣＰＵ２１１は、発信機１０４が発信するシート情報を受信して記憶する。
【００３８】
次に、オペレータは、ＭＦＰ１０１が設置された場所に戻り、ＭＦＰ１０１のシート格納部に格納されるシートを入れ替える。この際に、オペレータが所持している携帯端末１０２のＣＰＵ２１１は、記憶したシート情報をＭＦＰ１０１へ送信する。ＭＦＰ１０１は、携帯端末１０２から受信したシート情報に基づいて、シート格納部に格納するシートの属性情報の設定を行う。
【００３９】
まず、携帯端末１０２がシート情報を送受信する具体的な制御方法について、図５のフローチャートを用いて説明する。図５に示すフローチャートの各動作（ステップ）は、ＣＰＵ２１１がＲＯＭ２１２又はストレージ２１４に記憶された支援ソフトウェアをＲＡＭ１１３に読み出し、実行することにより実現される。ＣＰＵ２１１は、支援ソフトウェアを起動する指示を受け付けると、図５に示すフローチャートに対応する制御を実行する。なお、支援ソフトウェアは、携帯端末１０２の電源ＯＮ時に、自動的に起動するようにしてもよい。
【００４０】
ステップＳ５０１では、ＣＰＵ２１１は、近距離無線通信部２２４のアンテナ（不図示）を介して信号を受信すると、ステップＳ５０２に進み、近距離無線通信部２２４のアンテナ（不図示）を介して信号を受信していない場合は、信号の受信を待つ。
【００４１】
ステップＳ５０２では、ＣＰＵ２１１は、ステップＳ５０１で受信した信号を復調して、データ（パケット）を取り出す。受信したパケットがシート情報を含むアドバタイズパケットであると判断すると、ステップＳ５０３に進む。受信したパケットがシート情報を含むアドバタイズパケットでないと判断する場合は、ステップＳ５０５に進む。
【００４２】
まず、シート情報を受信した場合の処理について説明する。ステップＳ５０３では、ＣＰＵ２１１は、受信信号の強度（ＲＳＳＩ）が所定強度以上の場合にステップＳ５０４に進み、所定強度以上でない場合に、ステップＳ５０１に戻る。なお、ＲＳＳＩの値は周囲の電波干渉などによって変動するため、同じシート情報を含むパケットを複数回受信し、ＲＳＳＩの平準化を行った上でステップＳ５０３の判定を行うようにしてもよい。また、近距離無線通信部２２４の受信感度などに基づいて所定強度は適宜変更又は補正されてもよい。
【００４３】
更に、ステップＳ５０３において、以下の処理を行うようにしてもよい。ＣＰＵ２１１は、同じシート情報を含むパケットを所定強度よりも大きい状態で所定時間（例えば１０秒）受信し続けたと判断した場合に、ステップＳ５０４に進むようにしてもよい。ＣＰＵ２１１は、所定時間が経過する前に同じシート情報を含むパケットの信号強度が所定強度よりも小さくなった場合や、同じシート情報を含むパケットを受信しなくなった場合は、当該シート情報を記憶せず、ステップＳ５０１に戻る。なお、所定時間受信し続けたか否かの判断は、シート情報を誤って取得することを抑制する処理の一例である。この処理により、オペレータが発信機１０４の近くを通り過ぎる場合に、当該発信機１０４の近辺に置かれたシート束のシート情報を誤って取得することを抑制することができる。
【００４４】
ステップＳ５０４では、ＣＰＵ２１１は、シート情報を含むアドバタイズパケットに含まれるシート情報を取得し、ＲＡＭ２１３又はストレージ２１４に記憶する。
【００４５】
なお、ステップＳ５０３の処理は、各々の発信機１０４が発信する信号強度が弱い場合（ＲＳＳＩが所定強度以上でない場合）に、オペレータが取りに来たシート束とは異なる、他のシート束の情報を誤って取得することを抑制する処理である。
【００４６】
従って、ステップＳ５０３の処理は、発信機１０４の有効通信距離、及び受信機の感度、周囲の電波状況等に応じて、適宜省略することもできる。例えば発信機１０４の有効通信距離が短い（１０ｃｍ以内など）場合は、ステップＳ５０３の処理を省略し、ステップＳ５０２でＹｅｓの場合にステップＳ５０４に進むようにしてもよい。この場合、オペレータは、印刷に必要なシート束を積み込む際に、携帯端末１０２を発信機１０４に近づけて（かざして）、シート情報を含むアドバタイズパケットを受信する。この場合、ＣＰＵ２１１は、操作部２１６に受信したシート情報を表示するようにしてもよいし、シート情報を受信したことを音などでオペレータに通知するようにしてもよい。また、受信したシート情報を操作部２１６に表示する場合は、更に、当該シート情報を記憶するか否かをオペレータに選択させるポップアップ画面を表示するようにしてもよい。
【００４７】
次に、シート情報をＭＦＰ１０１に送信する処理について説明する。ステップＳ５０５では、ＣＰＵ２１１は、ＭＦＰ１０１の情報を含むアドバタイズパケットを受信したか判断する。受信したパケットがＭＦＰ１０１の情報を含むアドバタイズパケットであると判断すると、ステップＳ５０６に進み、ＭＦＰ１０１の情報を含むアドバタイズパケットでないと判断する場合は、ステップＳ５０１に戻る。
【００４８】
ステップＳ５０６では、ＣＰＵ２１１は、当該信号を発信したＭＦＰ１０１との距離が近いか判断する。近いか否かの判断方法はステップＳ５０２と同様に、信号強度に基づいて判断する。ＭＦＰ１０１との距離が近いと判断すると、ステップＳ５０７に進む。一方、ＭＦＰ１０１との距離が遠いと判断すると、ステップＳ５０１に戻り、次の信号の受信を待つ。
【００４９】
ステップＳ５０７では、ＣＰＵ２１１は、ＲＡＭ２１３又はストレージ１１４にシート情報を記憶している場合は、ステップＳ５０８に進み、シート情報を記憶していない場合は、ステップＳ５０１に戻る。ステップＳ５０８では、ＣＰＵ２１１は、シート情報をＭＦＰ１０１に送信する。例えば、携帯端末１０２はＭＦＰ１０１との間で１対１のＢＬＥ通信を確立し、シート情報を送信することができる。ステップＳ５０９では、ＣＰＵ２１１は、記憶しているシート情報を削除してステップＳ５０１へ戻る。
【００５０】
以上説明したように、携帯端末１０２は、発信機１０４が発信したシート情報を受信して、ＭＦＰ１０１に送信することができる。
【００５１】
なお、ステップＳ５０５乃至ステップＳ５０９に示すＭＦＰ１０１への送信処理はこれに限定されるものではない。例えば、携帯端末１０２とＭＦＰ１０１がＮＦＣ（Ｎｅａｒ  Ｆｉｅｌｄ  Ｃｏｍｍｕｎｉｃａｔｉｏｎ）規格に対応した非接触通信に対応している場合は、ＮＦＣによるデータ通信によりシート情報を送信することもできる。この場合、携帯端末１０２はシート情報を格納したＮＦＣタグとして動作する。ユーザが携帯端末１０２をＭＦＰ１０１のＮＦＣリーダ（不図示）にタッチする（近づける）と、ＭＦＰ１０１は、タグとして動作する携帯端末１０２からシート情報を取得することができる。
【００５２】
また、携帯端末１０２は、ネットワーク（ＡＰ１０３及びＬＡＮ１００）を介してＭＦＰ１０１へシート情報を送信するようにしてもよい。この場合、携帯端末１０２には、予めシート情報を送信すべきＭＦＰのアドレス等がオペレータによって設定されており、発信機１０４からシート情報を受信したことに応じてＭＦＰ１０１に自動送信される。
【００５３】
次に、ＭＦＰ１０１側の制御について説明する。ＭＦＰ１０１は携帯端末１０２から受信したシート情報に基づいて、シート格納部に格納するシートの属性情報の設定を行う。
【００５４】
受信したシート情報に基づく属性情報の設定について、図６のフローチャートを用いて説明する。図６に示すフローチャートの各動作（ステップ）は、ＣＰＵ１１１がＲＯＭ１１２又はストレージ１１４に記憶された制御プログラムをＲＡＭ１１３に読み出し、実行することにより実現される。ＣＰＵ１１１は、ＭＦＰ１０１の起動時に図６のフローチャートに対応する制御を開始する。
【００５５】
ステップＳ６０１では、ＣＰＵ１１１は、携帯端末１０２からシート情報を受信した場合、ステップＳ６０２に進み、携帯端末１０２からシート情報を受信していない場合、ステップＳ６０３に進む。ステップＳ６０２では、ＣＰＵ１１１は、受信したシート情報をストレージ１１４又はＲＡＭ１１３に格納する。
【００５６】
ステップＳ６０３では、ＣＰＵ１１１は、シート格納部に関する操作がなされたと判断すると、当該操作がなされたシート格納部を記憶し、ステップＳ６０６に進む。一方、シート格納部に関する操作がなされていないと判断すると、ステップＳ６０４に進む。ＣＰＵ１１１は、例えば、シート格納部が開けられたことを開閉センサにより検知した場合や、シート格納部が閉じられたことを開閉センサにより検知した場合に、シート格納部に関する操作がなされたと判断する。
【００５７】
即ち、ステップＳ６０３の処理は、シート格納部に対する操作に応じて属性情報を設定すべきシート格納部を特定する処理である。この処理によりオペレータが属性情報を設定するシート格納部を選択する手間を軽減することができる。
【００５８】
ステップＳ６０４では、ＣＰＵ１１１は、シート格納部に格納するシートの属性情報を設定する指示を受け付けたか否かを判断する。シート格納部に格納するシートの属性情報を設定する指示を受け付けた場合は、ステップＳ６０５に進む。一方、シート格納部に格納するシートの属性情報を設定する指示がなされていない場合はステップＳ６１２に進む。
【００５９】
ステップＳ６１２では、ＣＰＵ１１１はその他の指示を受け付けたか否かを判断する。その他の指示を受け付けた場合は、ステップＳ６１３に進み、指示に基づいた処理を実行する。処理の実行が完了すると、ステップＳ６０１に戻る。また、ＣＰＵ１１１は、その他の指示がなされていない場合は、ステップＳ６０１に戻る。
【００６０】
一方、ステップＳ６０５では、ＣＰＵ１１１は、属性情報を設定するシート格納部の指定を受け付ける。オペレータはＭＦＰ１０１が備える複数のシート格納部から１つのシート格納部を指定し、当該シート格納部に格納されるシートの属性情報を設定することができる。
【００６１】
ステップＳ６０６では、ＣＰＵ１１１は、携帯端末１０２から受信したシート情報がストレージ１１４又はＲＡＭ１１３に記憶されているか否かを判断する。シート情報が記憶されている場合は、ステップＳ６０７に進み、シート情報が記憶されていない場合は、ステップＳ６０８に進む。
【００６２】
ステップＳ６０８では、ＣＰＵ１１１は、シートに設定可能な属性情報の一覧から属性情報を設定するための画面を表示する。図７は、ＣＰＵ１１１が操作部１１６に表示する操作画面の一例を示す図であり、属性情報の一覧から属性情報を設定するための画面を示している。図７では、選択肢７０１が選択されている状態を例示している。オペレータは一覧表示された属性情報の中から、当該シート格納部に設定する種類を選択して設定することができる。なお、本実施形態では、属性情報としてシートの種類（シートタイプ）を設定する場合を例示しているがこれに限定されるものではない。例えば、シートの属性情報として、シートの商品名やシートの色などを設定することもできる。
【００６３】
一方、ステップＳ６０７では、ＣＰＵ１１１は、携帯端末１０２から受信したシート情報に基づいて属性情報を設定するための画面を表示する。図８は、ＣＰＵ１１１が操作部１１６に表示する操作画面の一例を示す図である。図８（ａ）はシート情報に基づいて属性情報を設定するための画面の一例である。情報８００は、属性情報の候補をオペレータに提示するための情報である。オペレータは、ＯＫキー８０１を押下して、候補となる属性情報を選択されたシート格納部に格納するシートの属性情報として設定することができる。また、オペレータは、キャンセルキー８０２を押下して、シート情報に基づく属性情報の設定をキャンセルすることができる。ＣＰＵ１１１は、キャンセルが押下されたと判断すると、シートに設定可能な属性情報の一覧から属性情報を設定するための画面（図７）に遷移する。
【００６４】
また、図８（ｂ）は、シート情報に基づいて属性情報を設定するための画面の他の一例である。ＣＰＵ１１１は、携帯端末から複数のシート情報を受信した場合は、図８（ｂ）に示す操作画面を表示する。キー８１１ａ〜８１１ｃは携帯端末１０２から受信したシート情報に基づいて属性情報を設定する場合に使用するキーである。図８（ｂ）では、携帯端末１０２から３つのシート情報を受信した場合を例示している。オペレータは、キー８１１ａ〜８１１ｃを押下し、候補となる属性情報を選択することができる。また、ＯＫキーを押下して、選択された候補に基づく属性情報を、シート格納部に格納するシートの属性情報として設定することができる。また、オペレータは、属性情報の一覧から属性情報を設定することもできる。また、携帯端末１０２から受信したシート情報にシートの商品名等が含まれている場合は、図８（ｂ）に代えて、図８（ｃ）に示すような画面を表示するようにしてもよい。ＣＰＵ１１１は、携帯端末１０２から受信したシート情報に基づいて属性情報を設定する場合に使用するキーとして、キー８１２ａ〜キー８１２ｃを表示する。この場合、キー８１２には、ＭＦＰに登録されたシートの種類だけでなく、実際の商品名が候補として表示される。従って、オペレータは、当該シート格納部に格納したいシート束の包装紙などに記載された商品名を確認して、より直感的に属性情報を設定することができる。また、携帯端末１０２から受信したシート情報にシートの色やサイズ等、その他の情報が含まれている場合は、シートの関するその他の情報を適宜表示するようにしてもよい。
【００６５】
図６の説明に戻り、ステップＳ６０９では、ＣＰＵ１１１は、属性情報に関する設定画面を介したオペレータの操作に基づいてシート格納部に格納するシートの属性情報を設定する。ステップＳ６１０では、ＣＰＵ１１１は、シートに関する設定画面を閉じる指示を受け付けたか否かを判断する。シートに関する設定画面を閉じる指示を受け付けた場合は、ステップＳ６１１に進み、シートに関する設定画面を閉じる指示がなされていない場合は、ステップＳ６０６に戻る。なお、オペレータは、シートに関する設定画面を閉じずに、他のシート格納部に関する属性情報の設定を行うこともできる。従って、オペレータは、携帯端末１０２から受信したシート情報に基づいて複数のシート格納部の属性情報を変更することもできる。
【００６６】
ステップＳ６１１では、ＣＰＵ１１１は、ＲＡＭ１１３又はストレージ１１４に記憶したシート情報を削除し、ステップＳ６０１に戻る。
【００６７】
更に、本実施形態では、携帯端末１０２から受信したシート情報に基づいて属性情報を設定する画面を表示することについて説明したが、これに限定されるものではない。例えば、ＣＰＵ１１１は、シート格納部に関する操作がなされたと判断された場合（ステップＳ６０３でＹｅｓ）に、当該操作がなされたシート格納部に対して受信したシート情報に基づく属性情報を自動的に設定するようにしてもよい。また、シート格納部が閉じられたことを検知した際に属性情報の設定を行う場合は、格納されたシートのサイズと受信したシート情報に含まれるシートのサイズが一致した場合にのみ属性情報を設定するようにしてもよい。
【００６８】
以上説明したように、ＭＦＰ１０１は、携帯端末１０２から受信したシート情報に基づいてシート格納部に格納されるシートの属性情報を設定することができる。従って、シートの属性情報を設定する手間を軽減することができる。
【００６９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７０】
１０１  ＭＦＰ
１１１  ＣＰＵ
１１６  操作部
１０２  携帯端末
２１１  ＣＰＵ
２２４  近距離無線通信部
１０４  発信機
【図１】
2016192739.tif 000003
【図２】
2016192739.tif 000004
【図３】
2016192739.tif 000005
【図４】
2016192739.tif 000006
【図５】
2016192739.tif 000007
【図６】
2016192739.tif 000008
【図７】
2016192739.tif 000009
【図８】
2016192739.tif 000010